(57)【要約】      （修正有）【課題】シートベルトを付けなければ車両の運転をすることが可能とならない安全な車両を提供する。【解決手段】シートベルトのキャッチ部２０と、シートベルト３０と、マイクロスイッチ４０と、セルモーター５０と、エンジンスターター６０とを備える。シートベルトのキャッチ部２０にシートベルト３０を差し込むことにより、マイクロスイッチ４０が作動して電流が流れてセルモーター５０が回転してエンジンがかかるように構成されている。【選択図】図２
0003172440.tif 000002
【実用新案登録請求の範囲】
【考案の詳細な説明】
0003172440.tif 000003
【手続補正書】
【提出日】平成23年6月8日(2011.6.8)
【手続補正２】
【補正対象書類名】明細書
【補正対象項目名】全文
【補正方法】変更
【補正の内容】
【考案の詳細な説明】
【技術分野】
【０００１】本実用新案はシートベルトを掛けないと自動車等のエンジンがスタートしない様な構造に関する事である。
【背景技術】
【０００２】現在の自動車等は、シートベルトを掛けなくても容易にセルモーターのスイッチを入れればエンジンがかかってしまいます。【０００３】従来の自動車等には、特にシートベルトを掛けなくても容易にエンジンがかかるものが大半ではあるが某自動車メーカーの中には、案全を考えてクラッチペタルを踏まないとエンジンのスタートスイッチを入れてもエンジンがかからない車等もあります。
【考案の開示】
【考案が解決しようとする課題】
【０００４】現在警察、又交通案全協会等の人達がシートベルトの着用を指導していますがシートベルトを掛けていれば交通事故等に依りなくなった尊い命も救われる事が出来ると思います。【０００５】本実用新案はシートベルトを収納部より引き出し肩に掛けその先端をキャッチ部にしっかりと固定しないと電気的な回路に依りエンジンがかからない様にしたものである。
【考案の効果】本実用新案は、交通事故等に依るシートベルトの未着用者の死亡率を下げる事を目的とするものである。
【図面の簡単な説明】
【図１】▲９▼のスターターを入れた時▲１８▼をキャッチ部に固定する事に依りエンジンがスタート出来る  ▲１４▼の時は電流が流れず▲６▼が作動しない為エンジンがかからず走る事が出来ないので案全である。
【符号の説明】▲１▼    自動車等のシートベルト収納ピラー
▲２▼    運転手
▲３▼    シートベルトキャッチ部
▲３ａ▼  ３の拡大図
▲４▼    マイクロスイッチ等
▲５▼    バッテリー
▲６▼    リレー
▲７▼    セルモーター
▲８▼    セルマグネットスイッチ
▲９▼    スタータースイッチ
▲１０▼  マイクロスイッチ等片方は車体にアースされている
▲１１▼  シートベルトのキャッチ部この部分は車体に固定されている。
▲１２▼  バッテリーのマイナスは車体にアースされている
▲１３▼  バッテリーのプラス
▲１４▼  マイクロスイッチ等が作動しない状態の時
▲１５▼  マイクロスイッチ等が入った時つまり作動して電流が流れた状態の時
▲１６▼  この端子はアースされていない
▲１７▼  配線
▲１８▼  シートベルト
【手続補正３】
【補正対象書類名】実用新案登録請求の範囲
【補正対象項目名】全文
【補正方法】変更
【補正の内容】
【実用新案登録請求の範囲】
【請求項１】
電気的又は、他の方法に依りシートベルトをしないとエンジンがかからない様にする事全体。
【請求項２】
その他あらゆる方法に依りシートベルトをしないとエンジンがかからない様にする事をこの請求の範囲とする。
【請求項３】
又自動車に限らず建設機械等すべての車両に対してもこの請求の範囲とする。
【手続補正４】
【補正対象書類名】図面
【補正対象項目名】全図
【補正方法】変更
【補正の内容】
【図１】
0003172440.tif 000004
【手続補正書】
【提出日】平成23年9月28日(2011.9.28)
【手続補正１】
【補正対象書類名】明細書
【補正対象項目名】全文
【補正方法】変更
【補正の内容】
【考案の詳細な説明】
【技術分野】
【０００１】  本考案は、車両におけるシートベルトを付けなければエンジンがスタートしない構造に関する。
【背景技術】
【０００２】  従来の車両においては、シートベルトを付けなくてもエンジンをスタートさせることが可能であった。
【考案の概要】
【考案が解決しようとする課題】
【０００３】  しかしながら、従来の車両においては、上記のように、シートベルトを付けなくてもエンジンをスタートさせることが可能であることから、シートベルトを付けなくても車両の運転をすることが可能となるため、安全上に問題があった。【０００４】  そこで、本考案はこのような問題を解決するためになされたものであり、シートベルトを付けなければ車両の運転をすることが可能とならないようにすることにより、従来の車両よりも安全な車両を提供することを目的とする。
【課題を解決するための手段】
【０００５】  本考案は、シートベルトのキャッチ部と、シートベルトと、マイクロスイッチと、セルモーターと、エンジンスターターとを備え、前記マイクロスイッチと前記エンジンスターターとが接続された、車両におけるシートベルトを付けなければエンジンがスタートしない構造であって、前記シートベルトのキャッチ部に前記シートベルトを差し込むことにより、前記マイクロスイッチが作動して電流が流れて前記セルモーターが回転してエンジンがかかるように構成されていることを特徴とする、車両におけるシートベルトを付けなければエンジンがスタートしない構造である。
【考案の効果】
【０００６】  本考案の、車両におけるシートベルトを付けなければエンジンがスタートしない構造によれば、シートベルトのキャッチ部にシートベルトを差し込むことにより、マイクロスイッチが作動して電流が流れてセルモーターが回転してエンジンがかかるように構成されていることから、シートベルトを付けなければ車両の運転をすることが可能とはならないため、従来の車両よりも安全な車両を提供することが可能となる。
【図面の簡単な説明】
【０００７】
【図１】実施形態に係る、車両におけるシートベルトを付けなければエンジンがスタートしない構造１０を使用している様子を示す図である。
【図２】実施形態に係る、車両におけるシートベルトを付けなければエンジンがスタートしない構造１０を説明するために示す図である。
【考案を実施するための形態】
【０００８】  以下、本考案の、車両におけるシートベルトを付けなければエンジンがスタートしない構造について、図に示す実施の形態に基づいて説明する。
【０００９】  図１は、実施形態に係る、車両におけるシートベルトを付けなければエンジンがスタートしない構造１０を使用している様子を示す図である。図２は、実施形態に係る、車両におけるシートベルトを付けなければエンジンがスタートしない構造１０を説明するために示す図である。なお、図１においては、シートベルトのキャッチ部２０にシートベルト３０を差し込んだときの様子を示している。また、図１においては、マイクロスイッチ４０、セルモーター５０及びエンジンスターター６０の図示を省略している。
【００１０】  実施形態に係る、車両におけるシートベルトを付けなければエンジンがスタートしない構造１０は、図１及び図２に示すように、シートベルトのキャッチ部２０と、シートベルト３０と、マイクロスイッチ４０と、セルモーター５０と、エンジンスターター６０とを備え、マイクロスイッチ４０とエンジンスターター６０とが接続された構造を有する。そして、シートベルトのキャッチ部２０にシートベルト３０を差し込むことにより、マイクロスイッチ４０が作動して電流が流れてセルモーター４０が回転してエンジンがかかるよ構造１０によれば、シートベルトのキャッチ部２０にシートベルト３０を差し込むことにより、マイクロスイッチ４０が作動して電流が流れてセルモーター５０が回転してエンジンがかかるように構成されていることから、シートベルトを付けなければ車両の運転をすることが可能とはならないため、従来の車両よりも安全な車両を提供することが可能となる。
【符号の説明】
【００１２】１０…車両におけるシートベルトを付けなければエンジンがスタートしない構造２０…シートベルトのキャッチ部３０…シートベルト４０…マイクロスイッチ５０…セルモーター６０…エンジンスターター１００…車両の筐体１１０…バッテリーＵ…運転手
【手続補正２】
【補正対象書類名】実用新案登録請求の範囲
【補正対象項目名】全文
【補正方法】変更
【補正の内容】
【実用新案登録請求の範囲】
【請求項１】
シートベルトのキャッチ部と、シートベルトと、マイクロスイッチと、セルモーターと、エンジンスターターとを備え、  前記シートベルトのキャッチ部に前記シートベルトを差し込むことにより、前記マイクロスイッチが作動して電気が流れて前記セルモーターが回転してエンジンがかかるように構成されていることを特徴とする、車両におけるシートベルトを付けなければエンジンがスタートしない構造。
【手続補正３】
【補正対象書類名】図面
【補正対象項目名】全図
【補正方法】変更
【補正の内容】
【図１】
0003172440.tif 000005
【図２】
0003172440.tif 000006